(57)【要約】【課題】建物の耐震性・耐風性を向上させるとともにクラック発生を防止できる木造建物の外壁構造、外壁構築工法、および継手補強治具を提供すること。【解決手段】本願の木造建物の外壁構造は、既設外壁の下部に形成され、構造用合板と、受材と、継手目地材と、上部外装材と、下部外装材と、コーキング部と、を有することを特徴とする。本願の木造建物の外壁構築工法は、既設外壁の下部に形成され、１）既設下地材に受材を付設する工程と、２）既設下地材に構造用合板を接続する工程と、３）既設下地材と構造用合板の継手部に継手目地材を付設する工程と、４）上部外装材を形成する工程と、５）下部外装材を形成する工程と、６）継手目地材からガイドスペーサを取り外す工程と、７）コーキング部を形成する工程と、を有することを特徴とする。本願の継手補強治具は、継手目地材と、継手目地材に着脱自在に付設するガイドスペーサと、を有することを特徴とする。【選択図】図１
2018009381.tif 000002
【特許請求の範囲】
【請求項１】
既設モルタル外壁と、前記既設モルタル外壁の屋内側に配置された既設下地材と、を含む既設外壁の下部に形成される木造建物の外壁構造であって、
前記既設下地材の下端部に上端部を突き合わせた状態で位置する構造用合板と、
前記既設下地材と前記構造用合板との継手部に沿って、前記継手部の屋内側に水平方向に位置する受材と、
前記既設下地材と前記構造用合板との継手部に沿って、前記継手部の屋外側に水平方向に位置する継手目地材と、
前記既設モルタル外壁の下部に位置する上部外装材と、
前記構造用合板の屋外側に位置する下部外装材と、
前記継手目地材の屋外側であって、前記上部外装材と前記下部外装材との間に位置するコーキング部と、を有することを特徴とする、
木造建物の外壁構造。
【請求項２】
前記継手目地材と前記コーキング部との間に縁切材が介在することを特徴とする請求項１に記載の木造建物の外壁構造。
【請求項３】
前記下部外装材は、前記構造用合板の屋外側に位置するモルタル下地合板と、前記モルタル下地合板の屋外側に位置する新設モルタル部と、からなることを特徴とする、請求項１または２に記載の木造建物の外壁構造。
【請求項４】
既設モルタル外壁と、前記既設モルタル外壁の屋内側に配置された既設下地材と、を含む既設外壁の下部に外壁を新設するための木造建物の外壁構築工法であって、
１）前記既設下地材の下端部に沿って、前記既設下地材の屋内側に水平方向に受材を付設する工程と、
２）前記既設下地材の下端部に構造用合板の上端部を突き合わせ、前記構造用合板の上端部の屋内側を前記受材に当接させて、前記既設下地材の下部に前記構造用合板を接続する工程と、
３）前記既設下地材と前記構造用合板の継手部の屋外側に、水平方向に継手目地材を付設し、前記継手目地材の屋外側にはガイドスペーサが着脱自在に付設されている工程と、
４）前記既設モルタル外壁と前記ガイドスペーサの間の空間にモルタルを充填して成形し、前記既設モルタル外壁の外壁面に沿って上部外装材を形成する工程と、
５）前記構造用合板の屋外側にモルタルを塗布して成形し、前記既設モルタル外壁の外壁面に沿って下部外装材を形成する工程と、
６）前記継手目地材から前記ガイドスペーサを取り外す工程と、
７）前記ガイドスペーサによって前記上部外装材と前記下部外装材の間に形成された溝部にコーキング材を充填し、コーキング部を形成する工程と、を有することを特徴とする、  
木造建物の外壁構築工法。
【請求項５】
前記下部外装材は、前記構造用合板の屋外側に付設したモルタル下地合板と、前記モルタル下地合板の屋外側に塗設した新設モルタル部と、からなることを特徴とする、請求項４に記載の木造建物の外壁構築工法。
【請求項６】
前記３）工程において、前記ガイドスペーサの屋外側の面は、前記既設モルタル外壁の外壁面と同一面上にあることを特徴とする、請求項４または５のいずれか一項に記載の木造建物の外壁構築工法。
【請求項７】
木造建物の外壁構築工法に用いる継手補強治具であって、
表面部と背面部とを有する長尺状の継手目地材と、
前記継手目地材の表面部に着脱自在に位置するガイドスペーサと、を有することを特徴とする、
継手補強治具。
【請求項８】
前記継手目地材は、前記表面部の中央に長手方向に沿って収容溝を有し、断面が凹字形状であることを特徴とする請求項７に記載の継手補強治具。
【請求項９】
前記収容溝の底面の幅は、前記ガイドスペーサの底面の幅と同じか、これより大きいことを特徴とする、請求項８に記載の継手補強治具。
【発明の詳細な説明】
【技術分野】
【０００１】
本発明は木造建物の外壁構造、外壁構築工法、および継手補強治具に係る。  
【背景技術】
【０００２】
木造在来工法による既存建物において、耐震性能の向上や耐久性の向上を目的として、建物外周の足元部分の補強工事が行われる。例えば、引用文献１には隅部補強金物と土台補強金物を使用して建物の足元外周部分の補強を行う工法が開示されている。
このような補強工事を建物外部から行う場合、施工に先立ち外壁の下部を一定の高さまで剥がして外壁の内部構造を露出させる。
具体的には、外壁を土台から４０センチメートル程度の高さで水平方向に切削し、内部の下地材を一定の高さまで取り外して撤去する。このようにして建物外周の下部に設けた開口を利用して、補強金物による仕口部分の固定などの補強工事を施工する。
補強工事の施工後は開口を下地材とラス網で被覆し、表面にモルタルを盛って成形し、既存のモルタルと一体の外壁を形成する。
【先行技術文献】
【特許文献】
【０００３】
【特許文献１】特開２００４−２１８２３６号公報
【発明の概要】
【発明が解決しようとする課題】
【０００４】
しかし、上述した従来技術には次のような欠点がある。
＜１＞既設外壁の切除により外壁構造の一体性が損なわれる。このため、建物の水平荷重に対する耐力が低下し、補強金物による補強効果が減殺されるおそれがある。
＜２＞既設外壁と新設外壁の継手部が構造的に脆弱となるため、地震や風などの水平荷重によって、継手部表面のモルタルに水平方向のクラックが発生しやすい。
＜３＞木造建物は個人住宅が多く、外壁と隣地との空間に十分な施工スペースを確保できないことが多い。そのため、施工効率が悪く、特に外壁モルタルを既設外壁と同一面上に成形することが難しい。
【０００５】
本発明の目的は、これらの課題を解決する、木造建物の外壁構造、外壁構築工法、および継手補強治具を提供することにある。
【課題を解決するための手段】
【０００６】
上記のような課題を解決するための本発明の木造建物の外壁構造は、既設モルタル外壁と、既設モルタル外壁の屋内側に配置された既設下地材と、を含む既設外壁の下部に形成される木造建物の外壁構造であって、既設下地材の下端部に上端部を突き合わせた状態で位置する構造用合板と、既設下地材と構造用合板との継手部に沿って、継手部の屋内側に水平方向に位置する受材と、既設下地材と構造用合板との継手部に沿って、継手部の屋外側に水平方向に位置する継手目地材と、既設モルタル外壁の下部に位置する上部外装材と、構造用合板の屋外側に位置する下部外装材と、継手目地材の屋外側であって、上部外装材と下部外装材との間に配置するコーキング部と、を有することを特徴とする。
【０００７】
本発明の木造建物の外壁構造は、継手目地材とコーキング部との間に縁切材が介在することが望ましい。
【０００８】
本発明の木造建物の外壁構造は、下部外装材が、構造用合板の屋外側に位置するモルタル下地合板と、モルタル下地合板の屋外側に位置する新設モルタル部と、からなることが望ましい。
【０００９】
本発明の木造建物の外壁構築工法は、既設モルタル外壁と、既設モルタル外壁の屋内側に配置された既設下地材と、を含む既設外壁の下部に外壁を新設するための木造建物の外壁構築工法であって、１）既設下地材の下端部に沿って、既設下地材の屋内側に水平方向に受材を付設する工程と、２）既設下地材の下端部に構造用合板の上端部を突き合わせ、構造用合板の上端部の屋内側を受材に当接させて、既設下地材の下部に構造用合板を接続する工程と、３）既設下地材と構造用合板の継手部の屋外側に、水平方向に継手目地材を付設し、継手目地材の屋外側にはガイドスペーサが着脱自在に付設されている工程と、４）既設モルタル外壁とガイドスペーサの間の空間にモルタルを充填して成形し、既設モルタル外壁の外壁面に沿って上部外装材を形成する工程と、５）構造用合板の屋外側にモルタルを塗布して成形し、既設モルタル外壁の外壁面に沿って下部外装材を形成する工程と、６）継手目地材からガイドスペーサを取り外す工程と、７）ガイドスペーサによって上部外装材と下部外装材の間に形成された溝部にコーキング材を充填し、コーキング部を形成する工程と、を有することを特徴とする。
【００１０】
本発明の木造建物の外壁構築工法は、下部外装材が、構造用合板の屋外側に付設したモルタル下地合板と、モルタル下地合板の屋外側に塗設した新設モルタル部と、からなることが望ましい。
【００１１】
本発明の木造建物の外壁構築工法は、３）工程において、ガイドスペーサの屋外側の面が、既設モルタル外壁の外壁面と同一面上にあることが望ましい。
【００１２】
本発明の継手補強治具は、木造建物の外壁構築工法に用いられ、表面部と背面部とを有する長尺状の継手目地材と、継手目地材の表面部に着脱自在に位置するガイドスペーサと、を有することが望ましい。
【００１３】
本発明の継手補強治具は、表面部の中央に長手方向に沿って収容溝を有し、断面が凹字形状であることが望ましい。
【００１４】
本発明の継手補強治具は、収容溝の底面の幅が、ガイドスペーサの底面の幅と同じか、これより大きいことが望ましい。
【発明の効果】
【００１５】
本願発明は、以上の構成を有するため、次の効果の少なくともひとつを備える。
＜１＞外壁の内部に構造用合板を固定して一体化することで、耐力壁を増設することができる。これによって、建物の水平荷重への耐力を高め、耐震性・耐風性を飛躍的に向上させることができる。
＜２＞既設下地材と構造用合板の継手部を受材と継手目地材で挟持することで、継手部の構造強度を高めることができる。
＜３＞モルタル面にコーキング部を設けることにより、水平クラックの発生を抑止することができる。
＜４＞継手目地材の屋外側に付設したガイドスペーサを定規材として用いることで、モルタル面の成形が容易になる。これによって、狭隘な場所での施工を効率化することができる。
【図面の簡単な説明】
【００１６】
【図１】本発明に係る木造建物の外壁構造の説明図。
【図２】本発明に係る継手目地材の説明図。
【図３Ａ】本発明に係る木造建物の外壁構築工法の説明図（１）。
【図３Ｂ】本発明に係る木造建物の外壁構築工法の説明図（２）。
【図３Ｃ】本発明に係る木造建物の外壁構築工法の説明図（３）。
【図３Ｄ】本発明に係る木造建物の外壁構築工法の説明図（４）。
【図３Ｅ】本発明に係る木造建物の外壁構築工法の説明図（５）。
【図３Ｆ】本発明に係る木造建物の外壁構築工法の説明図（６）。
【図３Ｇ】本発明に係る木造建物の外壁構築工法の説明図（７）。
【図３Ｈ】本発明に係る木造建物の外壁構築工法の説明図（８）。
【発明を実施するための形態】
【００１７】
以下、図面を参照しながら本発明の木造建物の外壁構造、木造建物の外壁構築工法、およびこれに用いる継手補強治具、について詳細に説明する。
【実施例１】
【００１８】
[木造建物の外壁構造]
＜１＞全体の構成（図１）。
本発明の木造建物の外壁構造１は、木造住宅の外周部に設けられる補強構造である。
木造住宅の外壁構造１は、既設モルタル外壁Ａとその屋内側に配置された既設下地材Ｂを土台Ｃから数十センチ上部で水平方向に切除して設けた空間に構築する（図３Ａ）。既設モルタル外壁Ａは、ラス網と、ラス網の表面にモルタルを塗設してなるモルタル層からなる。
木造住宅の外壁構造１は、既設下地材Ｂの下方に配設された構造用合板１０と、既設下地材Ｂと構造用合板１０の継手部に沿って屋内側に水平方向に配置する受材２０と、既設下地材Ｂと構造用合板１０の継手部に沿って屋外側に水平方向に配置する継手目地材３０と、既設モルタル外壁Ａの下部に配置する上部外装材４０と、構造用合板１０の屋外側に配置する下部外装材５０と、継手目地材３０の屋外側であって上部外装材４０と下部外装材５０との間に配置するコーキング部６０と、を有する。
【００１９】
＜２＞構造用合板。
構造用合板１０は、耐力壁を構成する板材である。
構造用合板１０の厚さは、既設下地材Ｂの厚さと同一にするのが望ましい。
構造用合板１０は既設下地材Ｂの下方に配置され、構造用合板１０の上端部は、既設下地材Ｂの下端部に突き合わせて接続される。
構造用合板１０の上端部は後述する受材２０と継手目地材３０に挟まれて固定される。構造用合板１０の下端部は土台Ｃの屋外側に固定される。
構造用合板１０の屋外側の面には防水シート１１を付設する。
既設下地材Ｂの下部に構造用合板１０を配設して外壁の内部に耐力壁を構築することにより、水平荷重への耐力を高め、耐震性・耐風性を向上させることができる。
【００２０】
＜３＞受材。
受材２０は、既設下地材Ｂと構造用合板１０との継手部を屋内側から支持して補強する部材である。
本例では受材２０として角材を用いる。角材の寸法は適宜選択できるが、構造用合板１０との接触面積や木ねじの螺着などを考慮して概ね５０ｃｍ×５０ｃｍ程度の寸法とするのが好ましい。
受材２０は、既設下地材Ｂの下端部と構造用合板１０の上端部の屋内側の目地に沿って水平方向に配設する。
【００２１】
＜４＞継手目地材（図２）。
継手目地材３０は、既設下地材Ｂと構造用合板１０の継手部を屋外側から被覆して補強する部材である。
継手目地材３０は、断面が凹字形状を呈する長尺状の部材であって、表面部３０ａ、背面部３０ｃ、および、表面部３０ａの中央に継手目地材３０の長手方向に沿って形成した収容溝３０ｂを有する。
継手目地材３０の厚さは、後述するモルタル下地合板４１、５１の板厚と同一にするのが望ましい。
収容溝３０ｂの底面には縁切材３１を付設する。
継手目地材３０は、既設下地材Ｂの下端部と構造用合板１０の上端部の屋外側の目地に沿って水平方向に配設する。
【００２２】
＜４．１＞縁切材。
縁切材３１は、後述するコーキング部６０の形成にあたりコーキング材の三面接着を回避するための部材である。
縁切材３１は、収容溝３０ｂの底面に全長に亘って付設する。
縁切材３１には、高発泡ポリエチレン素材などの公知の各種バックアップ材を採用することができる。
なお、縁切材３１は本発明の必須の構成要素ではない。
【００２３】
＜４．１．１＞縁切材の機能。
モルタル面の目地へコーキング処理する場合、充填したコーキング材が相対するモルタルの側面だけでなく目地の底部にも接着する、いわゆる三面接着が生じることがある。
三面接着が生じると、コーキング材が伸縮しにくくなり、モルタルが温度変化などにより伸縮したとき、目地の底部に接着したコーキング材の部分に応力が集中してコーキング材が破断するおそれがある。
これに対し、本発明の木造建物の外壁構造１は、コーキング部６０と継手目地材３０との間に縁切材３１を介在させることで、コーキング材の三面接触を防ぎ、コーキング部６０の破断等の不具合を防ぐことができる。
【００２４】
＜５＞上部外装材。
上部外装材４０は、既設下地材Ｂの屋外側に設ける部分である。
上部外装材４０は、既設モルタル外壁Ａの下部と、既設下地材Ｂの屋外側と、継手目地材３０の表面と、コーキング部６０との間に、既設モルタル外壁Ａの壁面と同一面に成形される（図３Ｅ）。
本例では上部外装材４０は、既設下地材Ｂの屋外側に付設したモルタル下地合板４１と、モルタル下地合板４１の屋外側に塗設した継手モルタル部４２とからなる。なお、上部外装材４０の構造はこれに限られず、公知の各種構造を選択してよい。
【００２５】
＜５．１＞モルタル下地合板（上部）。
モルタル下地合板４１は、上部外装材４０におけるモルタル下地材としての機能と耐力壁の構成部材としての機能を併有する部材である。
モルタル下地合板４１は、表面と木口に防水加工を施した構造用合板にモルタルとの密着力を高める凹凸層を設けてなる。例えば、株式会社ノダ製の商品名「ラスカット（登録商標）」などを採用することができる。
モルタル下地合板４１は、既設モルタル外壁Ａと継手目地材３０の隙間に沿って、既設下地材Ｂの屋外側に水平方向に配設する。
【００２６】
＜５．２＞継手モルタル部。
継手モルタル部４２は、上部外装材４０における外壁面を構成する部材である。
継手モルタル部４２は、モルタル下地合板４１の屋外側にモルタルを充填し、既設モルタル外壁Ａの壁面と同一面に成形してなる。
【００２７】
＜６＞下部外装材。
下部外装材５０は、構造用合板１０の屋外側に設ける部分である。
下部外装材５０はコーキング部６０より下方に、上部外装材４０および既設モルタル外壁Ａの壁面と同一面に成形される（図３Ｆ）。
本例では下部外装材５０は、構造用合板１０の屋外側に付設したモルタル下地合板５１と、モルタル下地合板５１の屋外側に塗設した新設モルタル部５２とからなる。なお、下部外装材５０の構造はこれに限られず、公知の各種構造を選択してよい。
【００２８】
＜６．１＞モルタル下地合板（下部）。
モルタル下地合板５１は、下部外装材５０におけるモルタル下地材としての機能と耐力壁の構成部材としての機能を併有する部材である。
モルタル下地合板５１は、構造用合板１０の屋外側に付設する。
モルタル下地合板５１は、上部外装材４０におけるモルタル下地合板４１と同一であるため、構造については改めて説明しない。
【００２９】
＜６．２＞新設モルタル部。
新設モルタル部５２は、下部外装材５０における外壁面を構成する部材である。
新設モルタル部５２は、モルタル下地合板５１の屋外側にモルタルを塗設し、上部外装材４０、および既設モルタル外壁Ａの壁面と同一面に成形してなる。
【００３０】
＜７＞コーキング部。
コーキング部６０は、上部外装材４０と下部外装材５０との間に設けた、伸縮緩衝機能を有する部分である。
コーキング部６０は、継手モルタル部４２と、新設モルタル部５２の間の水平溝にコーキング材を充填してなる。コーキング材には、変成シリコンコークを採用するとモルタル面への汚染が少なく、塗料の乗りも良い。
本発明の木造建物の外壁構造１は、外壁のモルタル面にコーキング部６０を設けることで、モルタル面に生じる変位をコーキング材に吸収させてクラックの発生を防止することができる。
【００３１】
[継手補強治具]
＜１＞全体の構成（図２）。
本願の継手補強治具３は、施工時にはモルタル成形のガイド材およびコーキング部６０用のスペーサとして機能するとともに、施工後には既設下地材Ｂと構造用合板１０の継手部の補強部材となる、多機能を有する治具である。
継手補強治具３は、継手目地材３０と、継手目地材３０の収容溝３０ｂに着脱自在に付設したガイドスペーサ３０Ａと、を有する。
なお、継手目地材３０の構造については既に説明したので再述しない。
継手補強治具３の厚さ、すなわち継手目地材３０の背面部３０ｃからガイドスペーサ３０Ａの屋外側の面までの厚さは、既設モルタル外壁Ａの厚みに対応させる。
具体的には、継手補強治具３を構造用合板１０に付設した状態において、ガイドスペーサ３０Ａの屋外側の面が、既設モルタル外壁Ａの壁面と同一面上になるように構成する。
【００３２】
＜２＞ガイドスペーサ。
ガイドスペーサ３０Ａは、ガイド材とスペーサの機能を兼ね備えた部材である。
本例では、ガイドスペーサ３０Ａとして角材を採用する。
ガイドスペーサ３０Ａは継手目地材３０の収容溝３０ｂ内に取り外し可能に設置する。収容溝３０ｂに縁切材３１を付設してある場合には、縁切材３１の上に設置する。
よって、ガイドスペーサ３０Ａの底面の幅は収容溝３０ｂ底面の幅と同じか、これより小さく構成する。
ガイドスペーサ３０Ａは、継手モルタル部４２と新設モルタル部５２を硬化させた後、継手目地材３０から取り外す。よって、ガイドスペーサ３０Ａと継手目地材３０とは強固に締結する必要はない。
【００３３】
＜３＞継手補強治具の機能。
本発明の継手補強治具３は少なくとも次の３つの機能を有する。
１）ガイドスペーサ３０Ａの屋外側の面を既設モルタル外壁Ａと同一面上に配置することで、継手モルタル部４２および新設モルタル部５２を成形する際のガイド材とすることができる。よって、モルタル成形の作業が容易になり、外壁の仕上げが綺麗になる。
２）継手モルタル部４２と新設モルタル部５２の硬化後に、継手目地材３０からガイドスペーサ３０Ａを取り外すことで、コーキング材充填用の溝を簡易かつ美しく形成することができる。
３）継手目地材３０を外壁内に残置することで、構造用合板１０と既設下地材Ｂとの継手部を補強し、外壁構造を強化することができる。
【００３４】
[木造建物の外壁構築工法]
【００３５】
＜１＞全体の構成（図１）。
本発明の木造建物の外壁構築工法は、既設モルタル外壁Ａと、既設モルタル外壁Ａの屋内側に配置された既設下地材Ｂと、からなる既設外壁の下部に、外壁を新設するための工法である。
本発明の木造建物の外壁構築工法は、受材の付設工程、構造用合板の接続工程、継手目地材の付設工程、上部外装材の形成工程、下部外装材の形成工程、ガイドスペーサの取り外し工程、およびコーキング部の形成工程、の各工程を有する。
これらの各工程は、上記した順番に実施するが、上部外装材の形成工程と下部外装材の形成工程はいずれを先に行ってもよい。
また、実際の施工にあたって、上記した工程以外に、例えば部材間の目地のシーリング工程や仕上げ塗装工程などの付帯工程を加えてもよい。これらの付帯工程は公知技術であるので本明細書では詳述しない。
【００３６】
＜２＞施工前の既設外壁の状態（図３Ａ）。
既設モルタル外壁Ａとその屋内側に配置された既設下地材Ｂは、土台Ｃから数十センチ上部で水平方向に切除され、切除した個所には空間が設けられている。
この際、既設下地材Ｂの下端を既設モルタル外壁Ａの下端より下に残しておく。
【００３７】
＜３＞受材の付設（図３Ｂ）。
既設下地材Ｂの下端部に沿って、既設下地材Ｂの屋内側に水平方向に受材２０を付設する。
受材２０の上部を既設下地材Ｂの屋内側の面に当接させ、受材２０の下部が既設下地材Ｂの下端部より下方に位置するように配置して、木ねじによる螺着などを介して固定する。
【００３８】
＜４＞構造用合板の接続（図３Ｃ）。
構造用合板１０の上端部を既設下地材Ｂの下端部に突き合わせて、構造用合板１０を既設下地材Ｂの下方に配置する。
構造用合板１０の上部を受材２０の屋外側に、下部を土台Ｃの屋外側にそれぞれ当接させ、木ねじによる螺着などを介して固定する。
構造用合板１０と既設下地材Ｂとの継手部には、目地に沿って防水テープ７０を貼付する。
【００３９】
＜５＞継手目地材の付設（図３Ｄ）。
既設下地材Ｂと構造用合板１０の継手部の屋外側に、防水テープ７０の上から、継手目地材３０を水平方向に付設する。
その際、継手目地材３０の背面部３０ｃを屋内側、表面部３０ａを屋外側に向け、収容溝３０ｂにはガイドスペーサ３０Ａを付設しておく。
継手目地材３０の上部と既設下地材Ｂの間、および継手目地材３０の下部と構造用合板１０の間を、それぞれ防水テープ７０で被覆する。
【００４０】
＜６＞上部外装材の形成（図３Ｅ）。
既設モルタル外壁Ａと継手目地材３０の隙間に沿って、既設下地材Ｂの屋外側にモルタル下地合板４１を付設する。
続いて、モルタル下地合板４１の屋外側の面にモルタルを充填して成形し、既設モルタル外壁Ａの外壁面に沿って継手モルタル部４２を形成する
この際、ガイドスペーサ３０Ａをモルタル面成形のガイド材として利用することで、継手モルタル部４２を容易かつ均一に塗設することができる。  
【００４１】
＜７＞下部外装材の形成（図３Ｆ）。
構造用合板１０の屋外側にモルタル下地合板５１を付設する。
続いて、モルタル下地合板５１の屋外側の面にモルタルを塗布して成形し、既設モルタル外壁Ａおよび上部外装材４０の外壁面に沿って新設モルタル部５２を形成する。
上部外装材４０と同様に、ガイドスペーサ３０Ａをモルタル面成形のガイド材として利用することができる。
【００４２】
＜８＞ガイドスペーサの取り外し（図３Ｇ）。
継手モルタル部４２と新設モルタル部５２の硬化を待って、継手目地材３０からガイドスペーサ３０Ａを取り外す。
これによって、継手モルタル部４２、新設モルタル部５２、継手目地材３０の間にコーキング材注入用の水平溝が形成される。
【００４３】
＜９＞コーキング部の形成（図３Ｈ）。
ガイドスペーサ３０Ａによって形成された水平溝にコーキング材を充填し、コーキング部６０を形成する。
【符号の説明】
【００４４】
１      木造建物の外壁構造
１０    構造用合板
１１    防水シート
２０    受材
３      継手補強治具
３０    継手目地材
３０Ａ  ガイドスペーサ
３０ａ  表面部
３０ｂ  収容溝
３０ｃ  背面部
３１    縁切材
４０    上部外装材
４１    モルタル下地合板
４２    継手モルタル部
５０    下部外装材
５１    モルタル下地合板
５２    新設モルタル部
６０    コーキング部
７０    防水テープ
Ａ      既設モルタル外壁
Ｂ      既設下地材
Ｃ      土台
【図１】
2018009381.tif 000003
【図２】
2018009381.tif 000004
【図３Ａ】
2018009381.tif 000005
【図３Ｂ】
2018009381.tif 000006
【図３Ｃ】
2018009381.tif 000007
【図３Ｄ】
2018009381.tif 000008
【図３Ｅ】
2018009381.tif 000009
【図３Ｆ】
2018009381.tif 000010
【図３Ｇ】
2018009381.tif 000011
【図３Ｈ】
2018009381.tif 000012